(57)【要約】【課題】  リモコン信号受信部の所在を通知することができるテレビジョン受像機、及び被制御装置を提供する。【解決手段】  表示パネル１５と、リモコン２から送信されたリモコン信号を受信する受信部１１と、前記受信部１１で受信した前記リモコン信号をデコードし、コードデータを生成するデコード手段１２と、前記受信部１１で受信した前記リモコン信号が、前記デコード手段１２でコードデータを生成するための信号基準を満たすか否か判断する判断手段１２と、前記判断手段１２で前記リモコン信号が前記信号基準を満たさないと判断された場合に、前記受信部の位置を示す画像を生成する画像生成手段３１と、前記画像生成手段３１で生成した前記受信部１１の位置を示す画像を前記表示パネルに表示させる表示手段１４とを備える。【選択図】      図６
2010028291.tif 000002
【特許請求の範囲】
【請求項１】
表示パネルと、
リモコンから送信されたリモコン信号を受信するリモコン信号受信部と、
前記受信部で受信した前記リモコン信号をデコードし、コードデータを生成するデコード手段と、
前記受信部で受信した前記リモコン信号が、前記デコード手段でコードデータを生成するための基準を満たすか否か判断する判断手段と、
前記判断手段で前記リモコン信号が前記基準を満たさないと判断された場合に、前記受信部の位置を示す画像を生成する画像生成手段と、
前記画像生成手段で生成した前記受信部の位置を示す画像を前記表示パネルに表示させる表示手段と、
を備えることを特徴とするテレビジョン受像機。
【請求項２】
前記判断手段で前記リモコン信号が前記基準を満たさないと判断された場合に、前記画像生成手段で生成した前記受信部の位置を示す画像と現在前記表示パネルに表示させている画像とを合成して得られる合成画像を生成する画像合成手段を更に具備し、
前記表示手段は、前記画像合成手段で生成した前記合成画像を前記表示パネルに表示させることを特徴とする請求項１のテレビジョン受像機。
【請求項３】
前記画像生成手段は、初期設定を実行する場合に前記受信部の位置を示す画像を生成すること
を特徴とする請求項２記載のテレビジョン受像機。
【請求項４】
前記画像合成手段は、前記判断手段で前記リモコン信号が前記基準を満たさないと判断された回数が所定回数以上となれば、前記受信部の位置を示す画像と現在前記表示パネルに表示させている画像とを合成して得られる合成画像を生成すること
を特徴とする請求項３記載のテレビジョン受像機。
【請求項５】
前記基準は、前記リモコン信号のパルス幅、パルスの数、又はコードエンドの期間のいずれか少なくとも一つの項目について設定されること
を特徴とする請求項４記載のテレビジョン受像機。
【請求項６】
前記基準を調整する基準調整手段を更に具備すること
を特徴とする請求項５記載のテレビジョン受像機。
【請求項７】
リモコンから送信されたリモコン信号を受信するリモコン信号受信部と、
前記受信部で受信した前記リモコン信号をデコードし、コードデータを生成するデコード手段と、
前記受信部で受信した前記リモコン信号が、前記デコード手段でコードデータを生成するための基準を満たすか否か判断する判断手段と、
前記判断手段で前記リモコン信号が前記基準を満たさないと判断された場合に、前記受信部の位置を示す画像を表示装置に出力する画像生成手段と、
を備えることを特徴とする被制御装置。
【請求項８】
入力装置から送信された制御信号を受信する受信部と、
前記受信部で受信した前記リモコン信号をデコードし、コードデータを生成するデコード手段と、
前記受信部で受信した前記リモコン信号が、前記デコード手段でコードデータを生成するための基準を満たすか否か判断する判断手段と、
前記受信部又は前記受信部周辺のいずれか少なくとも一方に設けられ、前記判断手段で前記リモコン信号が前記基準を満たさないと判断された場合に発光する発光部と、
を備えることを特徴とする被制御装置。
【発明の詳細な説明】
【技術分野】
【０００１】
本発明は、テレビジョン受像機及び被制御装置に関する。
【背景技術】
【０００２】
被制御装置に赤外線等を利用してコマンドを送信し、制御する遠隔操作装置（以下、リモコンと称する）として、テレビジョン、ビデオ、オーディオ、エアコン等のリモコンが広く普及している。一般的に、これらのリモコンでは、赤外線等を利用してリモコン信号を被制御装置に送信する。そして、リモコン信号を受信した被制御装置は、リモコン信号から生成された各種コードデータに対応した処理を実行する。
【０００３】
このようなリモコンを備える被制御装置の技術として、例えば特許文献１には、受信赤外線信号を検波する検波回路と、検波回路に対する入力信号レベルに応じて検波感度を調整する検波感度調整回路とを備えたリモートコントロール受信回路が開示されている。
【特許文献１】特開昭６０−１５３２３８号公報
【発明の開示】
【発明が解決しようとする課題】
【０００４】
しかしながら、特許文献１に示す従来の技術では、リモコン信号を受信するための受信部の所在をユーザに通知することについて考慮されていない。
例えば、指向性を有する赤外線等を利用してリモコン信号を送信するリモコンの場合、信号発信部を被制御装置の受信部に向けてリモコン信号を発信しなければ、被制御装置を制御することができない可能性がある。そのため、ユーザはリモコン操作を実行する際、被制御装置の受信部の所在を把握しておく必要がある。
【０００５】
そこで、本発明は、被制御装置のリモコン信号受信部の所在を通知することができるテレビジョン受像機、及び被制御装置を提供することを目的とする。
【課題を解決するための手段】
【０００６】
上記目的を達成するために、本発明は、表示パネルと、リモコンから送信されたリモコン信号を受信するリモコン信号受信部と、前記受信部で受信した前記リモコン信号をデコードし、コードデータを生成するデコード手段と、前記受信部で受信した前記リモコン信号が、前記デコード手段でコードデータを生成するための基準を満たすか否か判断する判断手段と、前記判断手段で前記リモコン信号が前記基準を満たさないと判断された場合に、前記受信部の位置を示す画像と現在前記表示パネルに表示させている画像とを合成して得られる合成画像を生成する画像合成手段と、前記画像合成手段で生成した前記合成画像を前記表示パネルに表示させる表示手段と、を備えることを特徴とする。
【０００７】
また、本発明は、リモコンから送信されたリモコン信号を受信するリモコン信号受信部と、前記受信部で受信した前記リモコン信号をデコードし、コードデータを生成するデコード手段と、前記受信部で受信した前記リモコン信号が、前記デコード手段でコードデータを生成するための基準を満たすか否か判断する判断手段と、前記判断手段で前記リモコン信号が前記基準を満たさないと判断された場合に、前記受信部の位置を示す画像と現在前記表示装置に表示させている画像とを合成して得られる画像の映像信号を前記表示装置に出力する画像合成手段と、を備えることを特徴とする。
【０００８】
また、本発明は、入力装置から送信された制御信号を受信する受信部と、前記受信部で受信した前記リモコン信号をデコードし、コードデータを生成するデコード手段と、前記受信部で受信した前記リモコン信号が、前記デコード手段でコードデータを生成するための基準を満たすか否か判断する判断手段と、前記受信部又は前記受信部周辺のいずれか少なくとも一方に設けられ、前記判断手段で前記リモコン信号が前記基準を満たさないと判断された場合に発光する発光部と、を備えることを特徴とする。
【発明の効果】
【０００９】
本発明によれば、リモコン信号受信部の所在を通知することができるテレビジョン受像機、及び被制御装置を提供することができる。
【発明を実施するための最良の形態】
【００１０】
以下、本発明のテレビジョン受像機、及び被制御装置について、図面を参照しながら説明する。
図１は、本発明の一実施形態に係るテレビジョン受像機（被制御装置）の外観を示す図である。本実施形態のテレビジョン受像機は、例えば、放送局からの地上波デジタル放送を受信すると共に、リモコン２から赤外線等を利用して送信されたリモコン信号に応じて動作するデジタルテレビ受信機１から実現されている。
【００１１】
このデジタルテレビ受信機１には、リモコン２からのリモコン信号を受信するための受信部１１が設けられている。本実施例のデジタルテレビ受信機１では、この受信部１１から受信したリモコン信号からコードデータを生成すると共に、当該コードデータに従い処理を実行する。
【００１２】
本実施例のデジタルテレビ受信機１は、受信部１１で受信したリモコン信号を確認し、リモコン信号の受信状態を調べる機能を備える。また、デジタルテレビ受信機１は、リモコン信号の受信状態が良好でないと判断した場合、表示画面に受信部１１の位置を示す画像を表示させる機能を備える。これらの機能を備えることで、本実施例のデジタルテレビ受信機１では、デジタルテレビ受信機１の受信部１１の所在を通知し、ユーザの利便性を向上させることを実現する。
【００１３】
次に、図２を参照し、本実施例のデジタルテレビ受信機１のシステム構成について説明する。図２は、本発明における実施例としてのデジタルテレビ受信機１の内部構成を示したブロック図である。
【００１４】
デジタルテレビ受信機１は、例えば、受信部１１、リモコン信号処理部１２、制御部１３、表示デバイスドライバ１４、ディスプレイ１５、チューナ１６、外部入力部１７、映像処理部１８、音声処理部１９、及びスピーカ２０等から構成される。
【００１５】
受信部１１は、リモコン２からリモコン信号を受信し、リモコン信号処理部１２に出力する。リモコン信号処理部１２は、受信部１１から受けたリモコン信号をデコードしてコードデータを生成するとともに、当該コードデータを制御部１３に出力する。
【００１６】
また、本実施例のリモコン信号処理部１２は、リモコン信号が所定の基準を満たしていないと判断した場合、制御部１３に対してリモコン信号の受信状態が良好ではない旨の通知を行う。また、リモコン信号処理部１２は、受信部１１から受信したリモコン信号が所定の基準を満たしていないと判断した回数をカウントするカウント機能、および、基準の調整をする基準調整機能を更に備える。尚、これらのカウント機能、基準調整機能、および基準についての詳細は、図３及び図４を参照しながら後述する。
【００１７】
制御部１３は、リモコン信号をデコードしたコードデータに対応付けられた制御処理を実行する。また、制御部１３は、リモコン処理部１２からリモコン信号の受信状態が良好ではない旨の通知を受けた場合、映像処理部１８内の画像生成部４２に対して受信部１１の位置を知らせるための画像を生成させる。尚、画像生成部４２については、図５を参照しながら後述する。
【００１８】
チューナ１６は、受信した放送信号をチューニングして復調する。また外部入力部１７は、外部接続されたＡＶ機器やＰＣからのビデオ信号／オーディオ信号を入力する端子などを有し、外部機器からの信号入力を可能とする。
【００１９】
映像処理部１８は、チューナ１６で選局された放送信号から分離された映像コンテンツデータ、もしくは外部入力部１７から入力された映像コンテンツデータをデコード処理し、映像信号を生成する。また、映像処理部１８は生成した映像信号を表示デバイスドライバ１４に出力する。
【００２０】
また、映像処理部１８では、入力された映像信号のフォーマットに応じて必要な映像処理（例えば、色空間変換処理、ＩＰ変換処理、スケーリング処理、ＦＲＣ処理、色補正処理、同期検出処理など）を施す。
【００２１】
表示デバイスドライバ１４は、映像処理部１８から出力された映像信号に基づいてディスプレイ１５を駆動し、映像信号の画像をディスプレイ１５に表示させる。ディスプレイ１５は、例えば液晶パネルを備えた表示デバイスである。
【００２２】
また音声処理部２０は、チューナ１６で選局された放送信号から分離された音声コンテンツデータ、もしくは外部入力部１７から入力された音声コンテンツデータを増幅して出力信号に変換し、当該音声信号をスピーカ２０が出力する。
【００２３】
次に、図３及び図４を参照しながら、本実施例のリモコン信号処理部１２の構成、およびリモコン信号処理部１２が扱うリモコン信号について説明する。図３は、本実施例のリモコン信号処理部１２の構成の一例を示す図である。図４は、リモコンから送信されるリモコン信号の一例を示す図である。
【００２４】
図３に示すように、本実施例のリモコン信号処理部１２は、例えば判定部３１、デコーダ３２、カウント部３３、および調整部３４等からなる。
判定部３１は、受信部１１で受信した信号がリモコン信号として所定の基準を満たすか否か判断する。判定部３１は、受信部１１で受信した信号がリモコン信号として所定の基準を満たしていないと判断した場合、この結果をカウント部３３に出力すると共に、制御部１３に対して受信状態が良好ではない旨の通知を出力する。また、判定部３１は、受信部１１で受信した信号がリモコン信号として所定の基準を満たしていると判断した場合、デコーダ３２に当該信号を出力する。
【００２５】
デコーダ３２は、判定部３１から受信したリモコン信号をデコードしてコードデータを生成し、制御部３１に出力する。
カウント部３３は、判定部３１からの判断結果を受けて、受信したリモコン信号が所定の基準を満たさなかった回数をカウントする。調整部３４は、リモコン２等からの操作入力を受けて基準の値を制御する。
【００２６】
次にリモコン信号について説明する。図４に示すように、リモコン信号は、例えばヘッダー部と、そのヘッダー部に続くデータ部と、データ部の終了を示すコードエンド期間（トレーラー部）とからなっている。
【００２７】
データ部は、例えばリモコン２の操作ボタンに対応したデータのビット列を、リモコン信号のＬＯＷの持続時間とＨＩＧＨの持続時間の組み合わせによって表現したものとなっている。
【００２８】
まず、本実施例に係る判定部３１では、受信部１１で信号を受信と、当該信号がリモコン信号として所定の基準を満たすか否かを確認する受信状態判定処理を実行する。これによって例えばリモコン２の信号発信源がデジタルテレビ受信装置１の受信部１１に向けられていない場合等、リモコン信号の受信状態が良好ではないと判断できる状態を検知することができる。
【００２９】
尚、本実施例における信号の基準とは、パルス（ビット）幅、パルス（ビット）数、コードエンド期間のいずれか少なくとも１つの項目について設定する値であり、リモコン信号のパルス波形が乱れているか否かを判定するために用いる。
【００３０】
ここで、本実施例のデジタルテレビ受信装置１において、コードデータを生成するためのリモコン信号の論理０／１の規定値は、例えばパルス（ビット）幅の場合には、論理０は２［ｍｓ］、論理１は３［ｍｓ］であり、パルス（ビット）数の場合、その規定値は１０個であり、コードエンド期間の場合、その規定値は１０［ｍｓ］であるものとする。
【００３１】
すなわち、本実施例のデコーダ３２では受信したリモコン信号が上記の規定値に一致する場合に、そのリモコン信号がデコードされる。また、このときのパルス幅については、各パルスのパルス幅が２［ｍｓ］または３［ｍｓ］のいずれかに一致したときに、そのいずれかに該当する値０または１をそれぞれのパルスに対するコードデータとするものとする。
【００３２】
本実施例におけるデジタルテレビ受信装置１では、パルス幅、パルス数、及びコードエンド期間のそれぞれについて所定の基準が設けられている場合を想定する。判定部３１では、これらの基準を満たすリモコン信号を受信した場合に、それぞれ規定値に一致したものとみなしてデコードを行う。
【００３３】
以下、上述した信号の基準についての具体例を示す。本実施例では、例えば、パルス幅に関する基準として論理０が１．８〜２．２［ｍｓ］、論理１が２．８〜３．２［ｍｓ］の基準を設定し、パルス数に関する基準として一回のリモコン信号に含まれるビット数を８〜１２個と設定し、コードエンド期間の基準として９［ｍｓ］以上と設定した場合を想定する。
【００３４】
従って、判定部３１では、受信したリモコン信号のパルス幅が、２．１［ｍｓ］以下、２．３〜２．７［ｍｓ］、３．３［ｍｓ］以上であった場合、パルス数が７個以下１３以上であった場合、またはコードエンド期間が９［ｍｓ］より短い場合には規定値に一致しないとみなす。
【００３５】
また、本実施例のデジタルテレビ受信装置１では、リモコン１等からの操作入力により、パルス幅、パルス数、コードエンド期間のそれぞれの基準を調整することができる。例えば、リモコン信号における各基準の範囲を広げれば、デジタルテレビ受信装置１のリモコン信号に対する感度を向上させることができる。
【００３６】
また、本実施例のデジタルテレビ受信装置１では、基準を満たしていないリモコン信号を受信する度に、逐次受信状態が良好ではないと通知するのではなく、受信したリモコン信号が基準を満たしていないと判断された回数が所定回数以上となった場合にのみ、受信状態が良好ではないと通知する設定にすることもできる。このように、本実施例では基準を満たさなかった回数をカウントし、当該回数が所定数以上となれば、ユーザが受信部１１の所在を把握していないとみなすことができる。これにより、ユーザが受信部１１の所在を把握しているか否かの判断をより正確に行うことができる。
【００３７】
また、本実施例のデジタルテレビ受信装置１では、受信したリモコン信号のパルス幅、パルス数、及びコードエンド期間を参照し、リモコン信号の受信状態が良好であるか否か判断することができる。そして、本実施例のデジタルテレビ受信装置１では、リモコン信号の受信状態が良好ではないと判断した場合、受信部１１の位置を示す画像の生成処理を行う。以下、図５及び図６を参照しながら、本実施例における受信部１１の位置を示す画像の生成処理について説明する。
【００３８】
図５は、本実施例の映像処理部１８の構成を示すブロック図である。また、図６は本実施例における合成画像の生成処理を示す図である。図３及び図4の説明で示したように、本実施例におけるリモコン信号処理部１２では、リモコン２から送信されるリモコン信号をデコードすると共に、リモコン信号の受信状態を確認する。そして、モコン信号の受信状態が良好ではないと判定された場合、本実施例のデジタルテレビ受信装置１は、ディスプレイに受信部１１の位置を示す画像と、現在画面に表示させている画像とを合成して得られる画像をディスプレイ１５に出力する。
【００３９】
図５に示すように、本実施例におけるリモコン信号処理部１２は、例えば、映像デコーダ４１、画像生成部４２、画像合成部４３等を備える。
映像デコーダ４１は、チューナ１６で選局された放送信号から分離された映像コンテンツデータ、もしくは外部入力部１７から入力された映像コンテンツデータをデコードし、映像信号を生成する。また、映像デコーダ４１は、映像コンテンツデータから生成した映像信号を画像合成部４３に出力する。尚、図６に示すように、ここでは、映像コンテンツデータから生成した映像信号に基づく画像ａ１が現在ディスプレイ１５の表示画面に表示されているものとする。
【００４０】
画像生成部４２は、制御部１３からの指示を受けて受信部１１の位置を示す画像ｂ１を生成し、画像合成部４３に出力する。画像合成部４３は、画像生成部４２からの受信部１１の位置を示す画像ｂ１の出力を受けて、当該画像と映像デコーダ４１で生成した映像信号の画像ａ１とを合成し、合成画像ｃ１を生成する。
【００４１】
ここでは、受信部１１の位置を示す画像ｂ１として、矢印を用いて受信部１１の位置を指した画像の例を示すが、これに限らず、受信部１１がどこにあるのかを示す画像であればよい。
【００４２】
このように本実施例のデジタルテレビ受信装置１では、制御部１３からの指示で生成された受信部１１の位置を示す画像ｂ１と、現在表示画面に表示させている画像ａ１とを合成して得られる画像ｃ１を生成し、ディスプレイ１５に表示させることができる。そのため、ユーザはディスプレイ１５の表示を見ることで受信部１１の所在を把握することができる。また、本実施例ではタイマー（図示していない）により、画像ｃ１を表示させる時間を選定してもよい。例えば３〜５秒程度の間に画像ｃ１を表示させる構成であれば、ユーザに対して受信部１１の位置を把握させることができると共に、現在表示画面に表示させている画像ａ１の視聴を妨げることもない。
【００４３】
また、本実施例のデジタルテレビ受信装置１では、リモコン信号の受信状態が良好ではないと判断した場合のみでなく、例えば、購入後・納入後に初めてデジタルテレビ受信装置１の電源を立ち上げた場合にも受信部１１の位置を示す画像を表示させる。このようにデジタルテレビ受信装置１では、ユーザが受信部１１の所在を把握していないと想定できる状況で好適に受信部１１の位置を示す画像を表示することができる。
【００４４】
また、本実施例のデジタルテレビ受信装置１では、受信部１１の位置を示す画像と、現在表示画面に表示させている画像とを合成した画像を表示させた場合を示したが、受信部１１の位置を示す画像のみを表示させる場合や受信部１１の位置を示す文字を表示させても良い。
【００４５】
また、受信部１１、又は受信部１１の周辺にＬＥＤ等の発光手段を持たせ、購入後・納入後に初めてデジタルテレビ受信装置１の電源を立ち上げたときや、リモコン信号の受信状態が良好ではないと判断したときにＬＥＤ等の発光手段を発光させることにより、受信部１１の所在を示しても良い。このような構成を有することで、現在ディスプレイ１５に受信部１１の位置を示す画像を表示させずに受信部１１の所在を把握できる。
【００４６】
次に、図７を参照しながら、本実施例のデジタルテレビ受信装置１における処理の流れを説明する。図７は、本実施例のデジタルテレビ受信装置１における処理の流れを示すフローチャートである。ここでは、基準を満たさないリモコン信号をＮ回受信した場合にユーザが受信部１１の所在を把握していないとみなすものとする。尚、Ｎは１以上の整数であり、調整部３４により調整可能な値である。
【００４７】
まず、本実施例の受信部１１では、リモコン信号を受信したか否か定期的に確認する（ステップＳ１０１）。リモコン信号を受信していない場合（ステップＳ１０１のＮｏ）、ステップＳ１０１の処理を繰り返す。
【００４８】
ステップＳ１０１で、リモコン信号を受信した場合（ステップＳ１０１のＹｅｓ）、受信部１１は、受信したリモコン信号をリモコン信号処理部１２に出力する。リモコン信号処理部１２は、受信部１１から受けたリモコン信号が許容基準を満たすか否か、即ち、当該リモコン信号からコードデータを生成できるか否か確認する（ステップＳ１０２）。
【００４９】
ステップＳ１０２にて、受信部１１から受けたリモコン信号が基準を満たさない場合（ステップＳ１０２のＮｏ）、リモコン信号処理部１２は、リモコン信号が基準を満たさない回数のカウントを１増やし、Ｎ回に達したか否か確認する（ステップＳ１０３）。ここで、Ｎ回に達していない場合は（ステップＳ１０３のＮｏ）処理をステップＳ１０１に戻す。
【００５０】
このステップＳ１０３で、リモコン信号が基準を満たさない回数がＮ回に達した場合（ステップＳ１０３のＹｅｓ）、リモコン信号処理部１２は、リモコン信号の受信状態が良好ではないと判断し、この旨を制御部１３に出力する。そして、制御部１３は、画像生成部３１に受信部１１の位置を示す画像を生成させる指示を出力する。次に、表示デバイスドライバ１４は、画像生成部４１で生成した受信部１１の位置を示す画像と現在表示中の画像とを合成した画像を表示させる指示をディスプレイ１５に出力する（ステップＳ１０４）。
【００５１】
ステップＳ１０２で、受信部１１から受けたリモコン信号が基準を満たす場合（ステップＳ１０２のＹｅｓ）、リモコン信号処理部１２は、当該リモコン信号からコードデータを生成する（ステップＳ１０５）。
【００５２】
制御部１３は、ステップＳ１０６の確認結果がデジタルテレビ受信装置の電源ＯＦＦを指示するコードデータであるか否か確認する（ステップＳ１０６）。ステップＳ１０６の確認結果がデジタルテレビ受信装置の電源ＯＦＦを指示するコードデータではない場合（ステップＳ１０６のＮｏ）、制御部１３は、当該コードデータに応じた処理を実行し（ステップＳ１０７）、処理をステップＳ１０１に戻す。
【００５３】
反対に、ステップＳ１０６の確認結果がデジタルテレビ受信装置１の電源ＯＦＦを指示するコードデータである場合（ステップＳ１０６のＹｅｓ）、制御部１３は、デジタルテレビ受信装置１の電源を切って処理を終了する（ステップＳ１０８）。
【００５４】
以上説明したように、リモコン信号受信部の所在を通知し、ユーザの利便性を向上させることができるテレビジョン受像機、及び被制御装置を提供することができる。
【００５５】
また、ここではデジタルテレビ受信装置についての例を示したが、これに限らず、リモコン信号により操作される被制御装置であれば、オーディオ機器、エアコン等にも本発明の技術を適用できる。
【００５６】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００５７】
【図１】本実施例におけるデジタルテレビ受信機１の構成例を示す図である。
【図２】本実施例におけるデジタルテレビ受信機１の内部構成を示したブロック図である。
【図３】本実施例におけるリモコン信号処理部の内部構成を示したブロック図である。
【図４】リモコンから送信されるリモコン信号の一例を示す図である。
【図５】本実施例における映像処理部の内部構成を示したブロック図である。
【図６】本実施例における合成画像生成の一例を示す図である。
【図７】本実施例におけるデジタルテレビ受信機１のリモコン信号の処理例を説明するためのフローチャートである。
【符号の説明】
【００５８】
１…テレビ装置
２…リモコン
１１…受信部
１２…リモコン信号処理部
１３…制御部
１４…表示デバイスドライバ
１５…ディスプレイ
１６…チューナ
１７…外部入力部
１８…映像処理部
１９…音声処理部
２０…スピーカ
３１…判定部
３２…デコーダ
３３…カウント部
３４…調整部
４１…映像デコーダ
４２…画像生成部
４３…画像合成部
【図１】
2010028291.tif 000003
【図２】
2010028291.tif 000004
【図３】
2010028291.tif 000005
【図４】
2010028291.tif 000006
【図５】
2010028291.tif 000007
【図６】
2010028291.tif 000008
【図７】
2010028291.tif 000009